【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
長手方向を水平方向とした状態で画像形成装置本体に対して着脱自在に設置されるトナー容器であって、
トナーを鉛直方向下方に排出するためのトナー排出口を底部に具備し、
容器の外周に沿った移動により前記トナー排出口を開閉するシャッタ部材を備え、
前記シャッタ部材は、
前記トナー排出口を開閉するシャッタ主部と、
前記シャッタ主部に一体的に形成されるとともに、前記シャッタ主部との接続位置を基点にして上下方向に弾性変形可能に形成されたシャッタ変形部と、
を具備し、
前記シャッタ変形部は、
容器に形成された当接部に当接して前記トナー排出口を閉鎖した状態から前記トナー排出口を開放する方向への前記シャッタ部材の移動を規制するストッパ部と、
鉛直方向下方に突出するように形成されるとともに、下方から外力を受けることにより当該シャッタ変形部の上方への弾性変形にともない前記ストッパ部を上方に変位させて前記当接部との当接状態を解除するストッパ解除部と、
を具備したことを特徴とするトナー容器。
【請求項２】
前記シャッタ変形部は、前記シャッタ主部に対して前記シャッタ部材が前記トナー排出口を開放するために移動する方向の奥側に配設され、
前記ストッパ部は、前記シャッタ主部から離れた前記シャッタ変形部の先端に形成され、
前記ストッパ解除部は、前記ストッパ部と前記接続位置との間に形成されたことを特徴とする請求項１に記載のトナー容器。
【請求項３】
前記シャッタ部材が前記トナー排出口を開放するときに前記シャッタ変形部の変形状態を保持するとともに、前記シャッタ変形部を内部に収納する収納部を具備したことを特徴とする請求項１又は請求項２に記載のトナー容器。
【請求項４】
前記シャッタ主部は、容器に形成された第２の当接部に当接して前記ストッパ部によって規制される方向とは逆方向への前記シャッタ部材の移動を規制する第２のストッパ部をさらに備えたことを特徴とする請求項１〜請求項３のいずれかに記載のトナー容器。
【請求項５】
前記長手方向の一端側に開口部が形成されるとともに、内部に収容したトナーが前記開口部に向けて搬送されるように構成された筒状の容器本体と、
前記容器本体の前記開口部が内挿されるとともに、前記トナー排出口を底部に具備したキャップ部と、
を備えたことを特徴とする請求項１〜請求項４のいずれかに記載のトナー容器。
【請求項６】
前記キャップ部は、
その内部に前記長手方向に延在するように形成された円柱状の空洞と、
前記空洞の下方の周面から前記トナー排出口に向けて一定の流路面積にて柱状に形成されたトナー落下経路と、
を具備したことを特徴とする請求項５に記載のトナー容器。
【請求項７】
前記当接部は、前記キャップ部に設けられたことを特徴とする請求項５又は請求項６に記載のトナー容器。
【請求項８】
前記容器本体は、その内周面に螺旋状の突起を有するとともに、前記キャップ部に対して回転可能に保持されることを特徴とする請求項５〜請求項７のいずれかに記載のトナー容器。
【請求項９】
請求項１〜請求項８のいずれかに記載のトナー容器が前記画像形成装置本体に設置されたことを特徴とする画像形成装置。
【手続補正２】
【補正対象書類名】明細書
【補正対象項目名】０００５
【補正方法】変更
【補正の内容】
【０００５】
この発明の請求項１記載の発明にかかるトナー容器は、長手方向を水平方向とした状態で画像形成装置本体に対して着脱自在に設置されるトナー容器であって、トナーを鉛直方向下方に排出するためのトナー排出口を底部に具備し、容器の外周に沿った移動により前記トナー排出口を開閉するシャッタ部材を備え、前記シャッタ部材は、前記トナー排出口を開閉するシャッタ主部と、前記シャッタ主部に一体的に形成されるとともに、前記シャッタ主部との接続位置を基点にして上下方向に弾性変形可能に形成されたシャッタ変形部と、を具備し、前記シャッタ変形部は、容器に形成された当接部に当接して前記トナー排出口を閉鎖した状態から前記トナー排出口を開放する方向への前記シャッタ部材の移動を規制するストッパ部と、鉛直方向下方に突出するように形成されるとともに、下方から外力を受けることにより当該シャッタ変形部の上方への弾性変形にともない前記ストッパ部を上方に変位させて前記当接部との当接状態を解除するストッパ解除部と、を具備したものである。
【手続補正３】
【補正対象書類名】明細書
【補正対象項目名】０００６
【補正方法】変更
【補正の内容】
【０００６】
また、請求項２記載の発明にかかるトナー容器は、前記請求項１に記載の発明において、前記シャッタ変形部は、前記シャッタ主部に対して前記シャッタ部材が前記トナー排出口を開放するために移動する方向の奥側に配設され、前記ストッパ部は、前記シャッタ主部から離れた前記シャッタ変形部の先端に形成され、前記ストッパ解除部は、前記ストッパ部と前記接続位置との間に形成されたものである。
【手続補正４】
【補正対象書類名】明細書
【補正対象項目名】０００７
【補正方法】変更
【補正の内容】
【０００７】
また、請求項３記載の発明にかかるトナー容器は、前記請求項１又は請求項２に記載の発明において、前記シャッタ部材が前記トナー排出口を開放するときに前記シャッタ変形部の変形状態を保持するとともに、前記シャッタ変形部を内部に収納する収納部を具備したものである。
【手続補正５】
【補正対象書類名】明細書
【補正対象項目名】０００８
【補正方法】変更
【補正の内容】
【０００８】
また、請求項４記載の発明にかかるトナー容器は、前記請求項１〜請求項３のいずれかに記載の発明において、前記シャッタ主部は、容器に形成された第２の当接部に当接して前記ストッパ部によって規制される方向とは逆方向への前記シャッタ部材の移動を規制する第２のストッパ部をさらに備えたものである。
【手続補正６】
【補正対象書類名】明細書
【補正対象項目名】０００９
【補正方法】変更
【補正の内容】
【０００９】
また、請求項５記載の発明にかかるトナー容器は、前記請求項１〜請求項４のいずれかに記載の発明において、前記長手方向の一端側に開口部が形成されるとともに、内部に収容したトナーが前記開口部に向けて搬送されるように構成された筒状の容器本体と、前記容器本体の前記開口部が内挿されるとともに、前記トナー排出口を底部に具備したキャップ部と、を備えたものである。
【手続補正７】
【補正対象書類名】明細書
【補正対象項目名】００１０
【補正方法】変更
【補正の内容】
【００１０】
また、請求項６記載の発明にかかるトナー容器は、前記請求項５に記載の発明において、前記キャップ部は、その内部に前記長手方向に延在するように形成された円柱状の空洞と、前記空洞の下方の周面から前記トナー排出口に向けて一定の流路面積にて柱状に形成されたトナー落下経路と、を具備したものである。
【手続補正８】
【補正対象書類名】明細書
【補正対象項目名】００１１
【補正方法】変更
【補正の内容】
【００１１】
また、請求項７記載の発明にかかるトナー容器は、前記請求項５又は請求項６に記載の発明において、前記当接部は、前記キャップ部に設けられたものである。
また、請求項８記載の発明にかかるトナー容器は、前記請求項５〜請求項７のいずれかに記載の発明において、前記容器本体は、その内周面に螺旋状の突起を有するとともに、前記キャップ部に対して回転可能に保持されるものである。
また、請求項９記載の発明にかかる画像形成装置は、請求項１〜請求項８のいずれかに記載のトナー容器が前記画像形成装置本体に設置されたものである。